(57)【要約】【課題】撮像装置の部品点数を削減し、薄型化を実現する。【解決手段】撮像装置は、撮像素子２５と、撮像素子が実装された第１の面を有するプリント配線板２９と、液晶表示ユニット２７と、液晶表示ユニットをバックライト照明するための光源２４と、光源からの光を端面から入射させ、該光を液晶表示ユニットの背面に導く導光板２８とを有する。導光板と液晶表示ユニットは、プリント配線板における第１の面とは反対側の第２の面に沿って配置されている。光源は、プリント配線板の第２の面に実装されている。【選択図】図３
2010041445.tif 000002
【特許請求の範囲】
【請求項１】
撮像素子と、
前記撮像素子が実装された第１の面を有するプリント配線板と、
液晶表示ユニットと、
前記液晶表示ユニットをバックライト照明するための光源と、
前記光源からの光を端面から入射させ、該光を前記液晶表示ユニットの背面に導く導光板とを有し、
前記導光板と前記液晶表示ユニットが、前記プリント配線板における前記第１の面とは反対側の第２の面に沿って配置されており、
前記光源が、前記プリント配線板の前記第２の面に実装されていることを特徴とする撮像装置。
【請求項２】
レンズ鏡筒ユニットと、
該レンズ鏡筒ユニットが取り付けられたシャーシとを有し、  
前記導光板及び前記液晶表示ユニットが、前記プリント配線板とともに前記シャーシと前記レンズ鏡筒ユニットとの間に挟み込まれて保持されていることを特徴とする請求項１に記載の撮像装置。
【請求項３】
前記プリント配線板の前記第２の面のうち前記導光板に重なる領域に、反射塗料が塗布されていることを特徴とする請求項１又は２に記載の撮像装置。
【請求項４】
前記プリント配線板における前記導光板に重なる領域において、該プリント配線板の厚み内に電気部品が配置されていることを特徴とする請求項１から３のいずれか１つに記載の撮像装置
【発明の詳細な説明】
【技術分野】
【０００１】
本発明は、デジタルスチルカメラ等の撮像装置に関し、特に画像を表示するための液晶表示素子と、該表示素子を撮影するための撮像素子を備えた電子撮像装置の構造に関する。
【背景技術】
【０００２】
撮像装置では、レンズ鏡筒ユニット、プリント配線板ユニット、メインシャーシユニット、液晶表示ユニット、外装カバーユニット等の複数のユニットに区分され、各ユニットのフレームを支持部材として個別に組み立てる構造が採用されることが一般的である。ただし、このような構造では、各ユニットがそれぞれのフレームによって仕切られるため、スペース効率を高めることが困難であり、撮像装置の小型化や薄型化が妨げられる。撮像装置のさらなる小型化及び薄型化を実現するためには、このような構造を改良する必要がある。
【０００３】
撮像装置の構造において、撮像素子をプリント配線板に直接実装することは従来実施されている。この場合には、撮像装置の厚み方向に、レンズ鏡筒ユニット、プリント配線板ユニット（撮像素子を含む）、装置の強度を確保する補強部材ユニット、画像表示ユニット及び外装カバーユニットが配置される。
【０００４】
ここで、液晶表示ユニットとして透過型液晶表示素子を用いる場合、該液晶表示素子を背面側から照明するための光源（ＬＥＤ）を持ったバックライトユニットが搭載される。
【０００５】
図２には、従来のバックライトユニットの構成を示している。バックライトユニットは、光学シート１２、１３と、ＬＥＤからの光を端面から入射させて均一に拡げて液晶表示素子の背面に導く導光板１４とを有する。さらに、光学シート１２と導光板１４との間に挟まれる形でフレキシブル基板１５ａが設けられている。
【０００６】
ＬＥＤはフレキシブル基板１５ａに実装されている。さらに、フレキシブル基板１５ａの先端部には、ＬＥＤの発光電源を供給するためのコネクタ部１５ｂが取り付けられている。
【０００７】
また、バックライトユニットは、遮光部材１６を有する。遮光部材１６は、ＬＥＤや導光板１４からの側面方向への光の漏れを防止する役割と、導光板１４及び光学シート１２、１３を保持する役割とを有する。さらに、バックライトユニットは、反射シート１７と、光学シート１２〜反射シート１７を保持するための金属フレーム１８とを有する。不図示の液晶表示素子は、光学シート１２側に配置されて金属フレーム１８で保持される。
【０００８】
これらの複数の部材が互いに重なるように配置されることによって、バックライトユニットが構成されている。
【０００９】
そして、このようなバックライトユニットが、上述した複数のユニットに加わることにより、撮像装置の厚みがさらに増加する。
【００１０】
特許文献１には、撮像素子を含む電気部品を両面に実装可能な基板の表側にレンズ鏡筒ユニットを配置し、該基板の裏側に液晶表示ユニットを配置した撮像装置が開示されている。両ユニットで基板を挟み込んでビス止めすることにより、撮像装置の薄型化と強度増加を図った撮像装置が開示されている。
【特許文献１】特開２００３−７８７９７号公報
【発明の開示】
【発明が解決しようとする課題】
【００１１】
しかしながら、特許文献１にて開示された撮像装置では、液晶表示ユニット自体は独立したユニットのままであり、該ユニットを構成するフレームが存在する。このため、撮像装置の薄型化のための構造としての不十分であり、さらに、部品点数も増えてしまう。
【００１２】
また、レンズ鏡筒ユニットと画像表示ユニットの位置を横方向に互いにずらして配置する場合もあるが、液晶表示素子のサイズが大きくなるとこのような配置を採用できなくなる。
【００１３】
本発明は、内部のユニット数を減らして装置をより薄型化することができるようにした撮像装置を提供する。
【課題を解決するための手段】
【００１４】
本発明の一側面としての撮像装置は、撮像素子と、撮像素子が実装された第１の面を有するプリント配線板と、液晶表示ユニットと、液晶表示ユニットをバックライト照明するための光源と、光源からの光を端面から入射させ、該光を液晶表示ユニットの背面に導く導光板とを有する。導光板と液晶表示ユニットは、プリント配線板における第１の面とは反対側の第２の面に沿って配置されている。そして、光源が、プリント配線板の第２の面に実装されていることを特徴とする。
【発明の効果】
【００１５】
本発明によれば、バックライト用の光源が撮像素子が実装されたプリント配線板に実装されることで、従来フレームを含むユニットとされていたバックライトユニットが不要となる。このため、撮像装置の薄型化を実現することができる。しかも、バックライト用の光源は、これが実装されたプリント配線板から直接、電源供給を受けることができる。このため、従来のバックライトユニットにおいて設けられていた光源を実装するためのフレキシブル基板や、該フレキシブル基板が接続されて光源に対して電源供給を行うためのコネクタが不要となる。したがって、部品点数を削除することが可能となり、撮像装置のより薄型化及び小型化を図ることができる。
【発明を実施するための最良の形態】
【００１６】
以下、本発明の好ましい実施例について図面を参照しながら説明する。
【実施例１】
【００１７】
図１には、本発明の実施例１である撮像装置の外観を示している。撮像装置１は、沈胴式の撮影レンズ鏡筒２と、ファインダ対物窓３と、補助光発光窓４と、フラッシュ５と、撮影画像を確認するための液晶表示部６と、ファインダ接眼窓７とを有する。また、撮像装置１は、電源のＯＮ／ＯＦＦを行うための電源ボタン８と、ズーミングを行わせるためのズームボタン９と、撮像時及び再生時の各種設定を行うための操作ボタン１０、１１を有する。
【００１８】
図３には、撮像装置１の内部構造を上面から見て示している。また、図４には、図３の一部を拡大して示している。さらに、図５には、後述する撮像素子やバックライト用の光源等が実装されたプリント配線板を示している。
【００１９】
プリント配線板２９は、両面実装が可能なハード基板としてのプリント基板である。図３に示すように、該プリント配線板２９のうちレンズ鏡筒ユニット１９側の第１の面には、ＣＣＤセンサやＣＭＯＳセンサ等の撮像素子２５が実装されている。レンズ鏡筒ユニット１９は、図１に示した撮影レンズ鏡筒２と、該撮影レンズ鏡筒２をズーム及び沈胴動作させるアクチュエータ等を含んでいる。
【００２０】
また、プリント配線板２９における第１の面とは反対側の第２の面には、バックライト用の光源（ＬＥＤ）２４が直接、実装されている。本実施例では、図５に示すように、複数（４つ）の光源２４が実装されている。ただし、光源の数は、撮像装置の仕様に合わせて任意に決定することが可能である。すなわち、光源を１つのみ設けてもよいし、５つ以上設けてもよい。プリント配線板２９の第１の面と第２の面にはそれぞれ、撮像素子２５及び光源２４以外の電気部品２２，２３も実装されている。
【００２１】
また、プリント配線板２９に対してレンズ鏡筒ユニット１９側の領域には、バッテリーボックスユニット２０及びフラッシュ発光用のメインコンデンサ３０が配置されている。
【００２２】
さらに、プリント配線板２９における第２の面に沿って、導光板２８及び液晶表示ユニット２７が配置されている。導光板２８と液晶表示ユニット２７との間には、光学シート３２、３３が挟まれる。なお、液晶表示ユニット２７は、画像を表示する液晶表示素子と、偏光フィルタと、液晶表示素子及び偏光フィルタを保護するためのガラス基板とがユニット化されて構成されている。また、導光板２８には、光学シート３２、３３を保持するため不図示の保持部材も含まれている。
【００２３】
バックライト用の光源２４は、プリント配線板２９の第２の面のうち、該第２の面に沿って配置された導光板２８の側端面（撮影レンズ鏡筒２の光軸方向に対して直交する方向の端面）に対向する位置に実装されている。導光板２８は、その側端面から光源２４からの光を入射させ、均一に拡散させて光学シート３２、３３を通して液晶表示ユニット２７の背面に導く。これにより、液晶表示ユニット２７を背後から照明し、液晶表示ユニット２７に表示された画像を表面側から観察することができる。
【００２４】
導光板２８及び液晶表示ユニット２７は、撮像装置全体の強度を高めるためのフレームを構成するメインシャーシ２６とレンズ鏡筒ユニット１９との間に、プリント配線板２９とともに挟み込まれている。レンズ鏡筒ユニット１９は、メインシャーシ２６にねじ２１ａ、２１ｂにより締結される（取り付けられる）。これにより、プリント配線板２９、導光板２８、光学シート３２、３３及び液晶表示ユニット２７が、メインシャーシ２６及びレンズ鏡筒ユニット１９によって挟み込まれた状態で保持される。
【００２５】
以上の構成により、従来のように保持部材としてのバックライト用フレームを含むバックライトユニットを用いなくても、バックライト照明系を構成する光源２４、導光板２８及び光学シート３２、３３を保持することができる。したがって、バックライト用フレームを不要とし、この結果、撮像装置の薄型化を実現できる。
【００２６】
また、バックライト用の光源２４をプリント配線板２９に直接実装しているため、プリント配線板２９から光源２４に直接、電源を供給することができる。このため、図２に示した従来の構成において必要であったＬＥＤを実装するためのフレキシブル基板１５ａや電源供給用コネクタ１５ｂが本実施例では不要となり、部品点数を削減することができる。そして、部品点数の削減により、撮像装置のさらなる薄型化や小型化を実現することが可能となる。
【００２７】
なお、図４及び図５に示すように、プリント配線板２９において光源２４が実装されている第２の面のうち導光板２８（及び液晶表示ユニット２７）に重なる領域には、光を反射させる金属塗料（反射塗料）３１が塗布されている。なお、金属塗料３１と第２の面との間に絶縁層を介在させてもよい。つまり、絶縁層の表面に金属塗料を塗布してもよい。この場合も、第２の面のうち導光板２８に重なる領域に反射塗料が塗布されているものとみなすことができる。
【００２８】
これにより、導光板２８から液晶表示ユニット２７とは反対側に射出した光を金属塗料３１で反射させて、液晶表示ユニット２７側に導くことができる。したがって、光源２４からの光の利用効率を向上させ、液晶表示ユニット２７をより明るく照明することができる。
【００２９】
従来は、金属塗料３１の代わりに図２に示した反射シート１７が配置されていた。本実施例によれば、反射シート１７が不要となり、さらに部品点数の削減と撮像装置の薄型化とを実現することができる。
【００３０】
なお、金属塗料３１をプリント配線板２９のＧＮＤに繋ぐと、電気的に安定するため、より好ましい。
【実施例２】
【００３１】
図６には、本発明の実施例２である撮像装置の内部構造を示している。本実施例において、実施例１と共通する構成要素には実施例１と同符号を付して説明に代える。
【００３２】
本実施例では、プリント配線板２９の厚み内に、電気部品３４が組み込まれている。特に、プリント配線板２９における導光板２８に重なる領域においてプリント配線板２９の厚み内に電気部品３４が配置されている。
【００３３】
本実施例でもプリント配線板２９の第２の面のうち導光板２８に重なる領域には光反射用の金属塗料を塗布した絶縁部材を配置しているため、プリント配線板２９の第２の面のうち導光板２８に重なる領域には、電気部品を実装できない。すなわち、電気部品の実装面積を十分に確保できない可能性がある。
【００３４】
しかし、電気部品３４をプリント配線板２９の厚み内に組み込むことで、実装面積を十分に確保することができ、この結果、撮像装置のそらなる薄型化を実現することができる。また、実装面積を十分に確保することができるため、プリント配線板２９の面積を小さくすることも可能であり、撮像装置の小型化を図ることもできる。
【００３５】
以上説明したように、上記各実施例では、バックライト用の光源２４をプリント配線板２９に直接実装している。さらに、導光板２８と液晶表示ユニット２７を、レンズ鏡筒ユニット１９と締結されるメインシャーシ２６との間にプリント配線板２９とともに挟み込んで保持している。これにより、撮像装置の薄型化と部品点数の削減を実現することができる。
【００３６】
以上説明した各実施例は代表的な例にすぎず、本発明の実施に際しては、各実施例に対して種々の変形や変更が可能である。
【図面の簡単な説明】
【００３７】
【図１】本発明の実施例１である撮像装置の斜視図。
【図２】従来の撮像装置におけるバックライトユニットの構成を示す分解斜視図。
【図３】実施例１の撮像装置の内部構造を示す断面図。
【図４】図３の一部を拡大した図。
【図５】図２及び図３に示したプリント配線板の斜視図。
【図６】本発明の実施例２である撮像装置の内部構造を示す断面図。
【符号の説明】
【００３８】
１  撮像装置
２  撮影レンズ鏡筒
１９  レンズ鏡筒ユニット
２０  バッテリボックス
２１ａ，２１ｂ  ねじ
２２，２３  電気部品
２４  バックライト用光源
２５  撮像素子
２６  メインシャーシ
２７  液晶表示ユニット
２８  導光板
２９  プリント配線板
３０  メインコンデンサ
３１  金属塗料
３２，３３  光学シート
３４  電気部品
【図１】
2010041445.tif 000003
【図２】
2010041445.tif 000004
【図３】
2010041445.tif 000005
【図４】
2010041445.tif 000006
【図５】
2010041445.tif 000007
【図６】
2010041445.tif 000008